(57)【要約】【課題】小型化が実現でき、便器洗浄を良好に行うことができる水洗式便器を提供する。【解決手段】水洗式便器は、便鉢部１１と便鉢部１１の下流側に連通した便器排水路１２と便鉢部１１の上端周縁部に連続して後方に延びる上面部１３とを有する便器本体１０と、便器本体１０の後端部の上方に配置された便器洗浄装置２０と、便器排水路１２内の空気を吸引する吸引装置３０とを備えている。便器本体１０は、便器洗浄装置２０より前方かつ便鉢部１１より後方であって、上面部１３の下方かつ便器排水路１２の上方に形成された空洞部４０を有している。この空洞部４０は、下端が便器排水路１２の上端部に開口されており、上部には吸引装置３０の吸引路３１が連通されている。【選択図】図１
2011006942.tif 000002
【特許請求の範囲】
【請求項１】
便鉢部と便鉢部の下流側に連通した便器排水路と便鉢部の上端周縁部に連続して後方に延びる上面部とを有する便器本体と、便器本体の後端部の上方に配置された便器洗浄装置と、便器排水路内の空気を吸引する吸引装置とを備えた水洗式便器であって、
前記便器本体は、前記便器洗浄装置より前方かつ前記便鉢部より後方であって前記上面部の下方かつ前記便器排水路の上方に形成された空洞部を有し、
この空洞部は、下端が前記便器排水路の上端部に開口されており、上部には前記吸引装置の吸引路が連通されていることを特徴とする水洗式便器。
【請求項２】
前記便器本体は、前記空洞部の下端後部から後方に延びて形成され、前記便器排水路の上部に開口する拡張空洞部を有していることを特徴とする請求項１記載の水洗式便器。
【請求項３】
前記空洞部の容積は、前記吸引装置が吸引する吸引量よりも大きいことを特徴とする請求項１又は２記載の水洗式便器。
【請求項４】
前記空洞部と前記拡張空洞部とを合わせた容積は、前記吸引装置が吸引する吸引量よりも大きいことを特徴とする請求項２記載の水洗式便器。
【請求項５】
前記便器本体は、前記上面部から下方に延び、左右方向に所定間隔を有して並設された一対の取付孔を有し、この取付孔には上面部に取り付けられる部材を取付可能であり、前記空洞部は、便器本体の左右方向において、これら取付孔の間に設けられていることを特徴とする請求項１乃至４のいずれか１項記載の水洗式便器。
【請求項６】
前記便器本体の上面部より下方であって、便器本体の外側壁と前記空洞部を形成する側壁との間に前記便器洗浄装置から前記便鉢部へ洗浄水を供給する給水路が形成されていることを特徴とする請求項１乃至５のいずれか１項記載の水洗式便器。
【請求項７】
前記空洞部の上端には前記便器本体の上面部を貫通する開口部が形成され、この開口部は前記吸引装置の吸引路が連結された吸引口を有する蓋部材により閉鎖されていることを特徴とする請求項１乃至６のいずれか１項記載の水洗式便器。
【請求項８】
前記蓋部材は上端が閉鎖され、下端が開口する筒部材により形成されていることを特徴とする請求項７記載の水洗式便器。
【請求項９】
前記開口部を閉鎖する前記蓋部材は、前記取付孔に取り付けられた固定部材により押さえ付けられ、取り付けられていることを特徴とする請求項７又は８記載の水洗式便器。
【発明の詳細な説明】
【技術分野】
【０００１】
本発明は水洗式便器に関する。
【背景技術】
【０００２】
特許文献１に従来の水洗式便器が開示されている。この水洗式便器は、便鉢部と、便鉢部の下流側に連通した便器排水路と、便鉢部の上端周縁部に連続して後方に延びる上面部とを有する便器本体を備えている。また、この水洗式便器は、便器排水路内の空気を吸引する吸引装置を備えている。便鉢部より後方の上面部には便器洗浄装置及び吸引装置が載置され、固定されている。便器本体は、便器洗浄装置及び吸引装置が載置された上面部の下方に位置する便器本体の後端上部に形成された空洞部を有している。この空洞部は、上端が上面部により閉鎖され、下端が便器排水路の上端後部に開口している。空洞部には吸引装置の吸引路が連通されている。
【０００３】
この水洗式便器では、便器洗浄の際、吸引装置が空洞部を介して便器排水路内の空気を吸引する。これにより、便鉢部の洗浄水が便器排水路に引き込まれ、便器排水路内の洗浄水が増加し、サイホン作用が誘起される。このため、この水洗式便器では、サイホン作用を確実に誘起させることができ、便器洗浄を良好に行なうことができる。また、吸引装置は、便器排水路内の空気の吸引を便器排水路から上方に延びる空洞部を介して行なうため、吸引装置が便器排水路内の汚物等を吸引することを防止することができる。
【先行技術文献】
【特許文献】
【０００４】
【特許文献１】特開平５−３１１７１９号公報
【発明の概要】
【発明が解決しようとする課題】
【０００５】
しかし、上記従来の水洗式便器では、吸引装置が便器排水路内の汚物等を吸引してしまい、便器排水路内の空気の吸引が不十分にならないようにするために、空洞部の容積を大きくしなければならない。便器本体の上面部を後方に延ばし、その下方空間を大きくして空洞部の容積を大きくしているため、便器本体が大型化してしまう。
【０００６】
本発明は、上記従来の実情に鑑みてなされたものであって、小型化が実現でき、便器洗浄を良好に行うことができる水洗式便器を提供することを解決すべき課題としている。
【課題を解決するための手段】
【０００７】
本発明の水洗式便器は、便鉢部と便鉢部の下流側に連通した便器排水路と便鉢部の上端周縁部に連続して後方に延びる上面部とを有する便器本体と、便器本体の後端部の上方に配置された便器洗浄装置と、便器排水路内の空気を吸引する吸引装置とを備えた水洗式便器であって、
前記便器本体は、前記便器洗浄装置より前方かつ前記便鉢部より後方であって前記上面部の下方かつ前記便器排水路の上方に形成された空洞部を有し、
この空洞部は、下端が前記便器排水路の上端部に開口されており、上部には前記吸引装置の吸引路が連通されていることを特徴とする。
【０００８】
この水洗式便器では、空洞部が便器洗浄装置より前方かつ便鉢部より後方であって上面部の下方かつ便器排水路の上方に形成されている。便器洗浄装置より前方かつ便鉢部より後方に位置する上面部は、便座及び便蓋を回動可能に軸支する便座装置等の機能装置を固定するために利用され、必要不可欠である。この部分に位置する上面部と便器排水路の上端部との間には空間が存在するため、その空間を利用して空洞部を形成することができる。このため、この水洗式便器では、便器本体を拡大せずに空洞部を形成することができる。また、この部分に位置する上面部と便器排水路の上端部との間には前後方向及び左右方向に空間が拡がっているため、充分な大きさの空洞部を形成することができる。このため、吸引装置が便器排水路内の汚物等を吸引することを防止することができる。
【０００９】
したがって、本発明の水洗式便器は、小型化が実現でき、便器洗浄を良好に行なうことができる。
【００１０】
前記便器本体は、前記空洞部の下端後部から後方に延びて形成され、前記便器排水路の上部に開口する拡張空洞部を有し得る。この場合、便器洗浄の際、拡張空洞部は空洞部の一部として作用し、空洞部内及び拡張空洞部内の空気が吸引装置に吸引されることにより、便器排水路内の空気が吸引される。このため、吸引装置が便器排水路内の汚物等を吸引することをさらに防止することができる。よって、便器排水路内の空気を確実に吸引することができ、サイホン作用が確実に誘起され、便器洗浄を良好に行なうことができる。また、拡張空洞部は、便器洗浄装置の下方に位置する空間を利用して形成することができる。このため、この水洗式便器では、拡張空洞部を形成するために便器本体を拡大しなくてもよい。
【００１１】
前記空洞部の容積は、前記吸引装置が吸引する吸引量よりも大きくし得る。この場合、吸引装置が便器排水路内の汚物等を吸引し難くなり、便器排水路内の空気が確実に吸引される。このため、サイホン作用を確実に誘起することができ、便器洗浄を良好に行なうことができる。
【００１２】
前記空洞部と前記拡張空洞部とを合わせた容積は、前記吸引装置が吸引する吸引量よりも大きくし得る。この場合、空洞部の容積を小さくしても、空洞部と拡張空洞部とを合わせた容積が吸引装置の吸引量よりも大きいため、吸引装置が便器排水路内の汚物等を吸引することを防止することができる。このため、空洞部の容積を小さくし、便器洗浄装置より前方かつ便鉢部より後方に位置する上面部の面積を必要最小限の大きさにすることができるため、水洗式便器の小型化をさらに図ることができる。
【００１３】
前記便器本体は、前記上面部から下方に延び、左右方向に所定間隔を有して並設された一対の取付孔を有し、この取付孔には上面部に取り付けられる部材を取付可能であり、前記空洞部は、便器本体の左右方向において、これら取付孔の間に設けられ得る。この場合、便器本体に空洞部を形成しつつ、上面部に部材を容易に取り付けることができる。また、市販の便座装置等を上面部に載置し、この取付孔を利用して便器本体に取り付けることもできる。
【００１４】
前記便器本体の上面部より下方であって、便器本体の外側壁と前記空洞部を形成する側壁との間に前記便器洗浄装置から前記便鉢部へ洗浄水を供給する給水路が形成され得る。この場合、便器本体に空洞部を形成しつつ、便器洗浄装置から便鉢部へ洗浄水を供給することができる。
【００１５】
前記空洞部の上端には前記便器本体の上面部を貫通する開口部が形成され、この開口部は前記吸引装置の吸引路が連結される吸引口を有する蓋部材により閉鎖され得る。この場合、便器本体に空洞部を容易に形成することができる。また、便器排水路が閉塞された際には蓋部材を取り外し、便器排水路を閉塞した物を容易に除去することができる。
【００１６】
前記蓋部材は上端が閉鎖され、下端が開口する筒部材により形成され得る。この場合、実質的に空洞部の容積を大きくすることができる。このため、吸引装置が便器排水路内の汚物等を吸引し難くなり、便器排水路内の空気を確実に吸引することができるため、サイホン作用を確実に誘起することができ、便器洗浄を良好に行なうことができる。
【００１７】
前記開口部を閉鎖する前記蓋部材は、前記取付孔に取り付けられた固定部材により押さえ付けられ、取り付けられ得る。この場合、蓋部材の固定を容易かつ確実に行なうことができる。
【図面の簡単な説明】
【００１８】
【図１】実施例の水洗式便器の斜視図である。
【図２】実施例の水洗式便器の断面図である。
【図３】実施例の便器本体の平面図である。
【図４】実施例の便器本体の断面図である。
【図５】実施例の便器本体に蓋部材等の取付状態を示す分解斜視図である。
【図６】実施例の便器本体に蓋部材等が取り付けられた状態を示す平面図である。
【図７】実施例の開口部に取り付けられた蓋部材の周辺を示す断面図である。
【図８】実施例の水洗式便器において、便器洗浄前の状態を示す断面図である。
【図９】実施例の水洗式便器において、便器洗浄中の状態を示す断面図である。
【発明を実施するための形態】
【００１９】
本発明を具体化した実施例を図面を参照しつつ説明する。
【実施例】
【００２０】
実施例の水洗式便器は、図１に示すように、便器本体１０と便器洗浄装置２０と吸引装置３０とを備えている。便器本体１０の後端部の上方には、洗浄タンク２１を有する便器洗浄装置２０及び吸引装置３０が配置されている。便器洗浄装置２０及び吸引装置３０は、便器本体１０の上面部に取り付けられたカバー１により覆われている。カバー１の前面下部には、便座２及び便蓋３が回動自在に軸支されている。
【００２１】
便器本体１０は、図２〜図４に示すように、便鉢部１１と、便鉢部１１の下流側に連通した便器排水路１２と、便鉢部１１の上端周縁部１１Ａに連続して後方に延びる上面部１３とを有している。便鉢部１１は、上端周縁部１１Ａの下方の内壁面に段状に形成されたリム通水路１１Ｂを有している。便器排水路１２は、便鉢部１１の下端部に連続し、後部上方に傾斜して延びる上昇流路１２Ａと、上昇流路１２Ａの上端部に連続し、下方に延びる下降流路１２Ｂとから形成されている。下降流路１２Ｂの下流端開口は接続部材Ｃを介して床面Ｆから引き出された排水管Ｄの流入口に連通されている。
【００２２】
便器本体１０の後端部には、周縁部に立壁１４Ａが立ち上げられた略横長矩形状の収納部１４が形成されている。収納部１４には洗浄タンク２１の流出口から流出した洗浄水をリム通水路１１Ｂに流出させる分配管１５の一部が収納されている。分配管１５は、収納部１４内で上方に向けて開口する接続口１５Ａと、接続口１５Ａの下方から左右に分かれて延びる左配管１５Ｌ及び右配管１５Ｒとを有している。
【００２３】
分配管１５の左配管１５Ｌ及び右配管１５Ｒは、前側の立壁１４Ａの下部に左右に並んで設けられた一対の挿通口１４Ｌ、１４Ｒに挿通されている。挿通口１４Ｌ、１４Ｒに挿通された左配管１５Ｌ及び右配管１５Ｒは、便器本体１０の上面部１３より下方であって、後述する空洞部４０を形成する円筒状の側壁４１と便器本体１０の外側壁１６との間に配置されている。左配管１５Ｌは、便鉢部１１の左前方においてリム通水路１１Ｂに沿って洗浄水を吐出させる前吐出口１７Ｆを有する左側リム給水路１７Ｌの後端部に接続されている。右配管１５Ｒは、便鉢部１１の右後方においてリム通水路１１Ｂに沿って洗浄水を突出させる後吐出口１７Ｂを有する右側リム給水路１７Ｒの後端部に接続されている。このように、空洞部４０を形成しつつ、便器洗浄装置２０の洗浄タンク２１から便鉢部１１へ洗浄水を供給することができる。
【００２４】
洗浄タンク２１には洗浄水供給源に接続された配管Ｓに接続された図示しないボールタップが設けられている。このため、洗浄タンク２１は、貯留された洗浄水の水位の変化により、ボールタップの開閉弁が開閉し、洗浄水を貯留可能としている。洗浄タンク２１内に貯留された洗浄水は下端面に形成された流出口２２から流出する。流出口２２は、便器洗浄の際に引き上げられるフロート弁２３により開閉可能とされている。
【００２５】
洗浄タンク２１を有する便器洗浄装置２０及び吸引装置３０は、図示しない取付プレートの上面に固定されている。この取付プレートは、後述する固定部材６０を利用して、便器本体１０の後端部に取り付けられている。このようにして、洗浄タンク２１を有する便器洗浄装置２０及び吸引装置３０は、便器本体１０の後端部の上方に配置されている。また、取付プレートが便器本体１０の後端部に取り付けられる際には、洗浄タンク２１の流出口２２は分配管１５の接続口１５Ａに接続される。
【００２６】
前側の立壁１４Ａの左右中央部の前方に隣接する位置に円筒形状の空洞部４０が形成されている。つまり、空洞部４０は、便器洗浄装置２０より前方かつ便鉢部１１より後方に位置する上面部１３の下方に形成されている。空洞部４０の下端は便器排水路１２の上端部に開口されている。上面部１３は、便座２及び便蓋３が回動自在に軸支されたカバー１を取り付けるために必要不可欠であり、その上面部１３と便器排水路１２の上端部との間の空間を利用して空洞部４０を形成している。このため、この水洗式便器では、便器本体１０を拡大せずに空洞部４０を形成することができる。また、この部分に位置する上面部１３と便器排水路１２との間には前後方向及び左右方向に空間が拡がっている為、十分な大きさの空洞部４０を形成することができる。このため、吸引装置３０が便器排水路１２内の汚物等を吸引することを防止することができる。
【００２７】
したがって、実施例の水洗式便器は、小型化が実現でき、便器洗浄を良好に行なうことができる。
【００２８】
また、空洞部４０は、吸引装置３０の吸引量よりも大きい容積を有している。例えば、吸引装置３０の吸引量を６００ＣＣとした場合、空洞部４０の容積は４６０ＣＣに形成される。
【００２９】
空洞部４０の上端には便器本体１０の上面部１３を貫通する開口部４０Ａが形成されている。このため、空洞部４０を容易に形成することができる。開口部４０Ａの内周には、上面部１３より一段低い位置に内側に張り出した段部４０Ｂが形成されている。
【００３０】
便器本体１０は、空洞部４０の下端後部から後方に延びて形成され、便器排水路１２の上方から後方に膨出した拡張空洞部４２を有している。拡張空洞部４２の容積は、例えば、３００ＣＣに形成される。拡張空洞部４２は、図９に示すように、便器洗浄の際に便器排水路１２内を流れる洗浄水の水面Ｗより上方位置に開口している。このため、便器洗浄の際、拡張空洞部４２は空洞部４０の一部として作用し、空洞部４０及び拡張空洞部４２内の空気が吸引装置３０に吸引されることにより、便器排水路１２の空気が吸引される。よって、吸引装置３０が便器排水路１２内の汚物等を吸引することをさらに防止することができるため、便器排水路１２内の空気を確実に吸引し、サイホン作用が誘起され、便器洗浄を良好に行なうことができる。
【００３１】
また、拡張空洞部４２は、便器洗浄装置２０及び吸引装置３０の下方に位置する空間を利用している。このため、この水洗式便器では、拡張空洞部４２を形成するために便器本体１０を拡大しなくても良い。また、拡張空洞部４２により、空洞部４０の容積を小さくしても吸引装置３０が便器排水路１２内の汚物等を吸引することを防止することができる。このため、便器本体１０の上面部１３の面積を必要最小限の大きさにすることができ、水洗式便器の小型化をさらに図ることができる。
【００３２】
便器本体１０には、図３〜図５に示すように、上面部１３から下方に延び、左右方向に所定間隔を有して並設された一対の第１取付孔１８が貫設されている。この第１取付孔１８の便器本体１０の前端からの位置及び各第１取付孔１８間の寸法は、便座装置の取付孔としてＪＩＳ規格に定められたものである。空洞部４０は、便器本体１０の左右方向において、これら第１取付孔１８の間に設けられている。このように、空洞部４０を形成しつつ、第１取付孔１８を設けることができる。この第１取付孔１８を利用して後述する固定部材６０を便器本体１０の上面部１３に取り付けることができる。
【００３３】
また、第１取付孔１８より後方かつ前側の立壁１４Ａより前方であって、便器本体１０の上面部１３の左右端部には一対の第２取付孔１９が貫設されている。第２取付孔１９には、固定部材６０の後端部が固定され、固定部材６０が強固に便器本体１０の上面部１３に取り付けられている。
【００３４】
空洞部４０の上端に形成された円形状の開口部４０Ａは、図１、図２及び図５〜図７に示すように、蓋部材５０により閉鎖されている。このため、便器排水路１２が閉塞された際には蓋部材５０を取り外し、便器排水路１２を閉塞したものを容易に除去することができる。
【００３５】
蓋部材５０は、上端が閉鎖され、下端が開口する樹脂製の円筒部材により形成されている。蓋部材５０の上端周縁部には第１鍔部５１が形成されている。蓋部材５０の胴部５２には吸引口５２Ａが形成されている。吸引口５２Ａには吸引装置３０の吸引路３１が連結されている。吸引路３１は、第１吸気管３１Ａと第２吸気管３１Ｂとから形成されている。第１吸気管３１は、吸引装置３０から便器本体３０の立壁１４Ａを貫通する連結部材３１Ｃまでを連結している。第２吸気管３１Ｂは、収納部１４内に延びた連結部材３１Ｃに接続され、収納部１４内から開口部４０Ａ内に向けて挿通孔１４Ｂを挿通し、蓋部材５０の吸引口５２Ａに連通している。
【００３６】
蓋部材５０の胴部５２の外周側面の中間部には、外側に延びる第２鍔部５３が形成されている。空洞部４０の上端に形成された開口部４０Ａの段部４０Ｂ上に、リング状のパッキンＰを挿入し、パッキンＰを蓋部材５０の第２段部５３の下面と段部４０Ｂの上面とで押しつぶすように蓋部材５０を開口部４０Ａの上方から挿入されている。この状態で、蓋部材５０は、後述する固定部材６０により押さえ付けられている。これにより、蓋部材５０の第２段部５３の下面及び第２段部５３より下方の胴部５２の外周側面と、段部４０Ｂの内周角部との間にパッキンＰが挟持されている。このため、開口部４０Ａを蓋部材５０により気密状態で閉鎖することができる。また、蓋部材５０の胴部５２の内側は空洞であるため、実質的に空洞部４０の容積を大きくすることができる。このため、吸引装置３０が便器排水路１２内の汚物等を吸引し難くなり、便器排水路１２内の空気を確実に吸引することができるため、サイホン作用を確実に誘起することができ、便器洗浄を良好に行なうことができる。
【００３７】
固定部材６０は平板状の金属板により形成されている。固定部材６０は、便器本体１０の上面部１３に貫設された一対の第１取付孔１８と同間隔に設けられた一対の第１貫通孔６１を有している。各第１貫通孔６１は第１取付孔１８と同径である。各第１貫通孔６１の左右外側には、第１貫通孔６１の外側を囲むように半円弧状のスリット６１Ａが設けられている。また、各第１貫通孔６１の内側には、第１貫通孔６１の内側及び左右外側に設けられた内側スリット６１Ａの端部を囲むように半円弧状の外側スリット６１Ｂが設けられている。
【００３８】
固定部材６０は、開口部４０Ａに挿入されたパッキンＰ及び蓋部材５０を押え付けた状態で、第１貫通孔６１及び第１取付孔１８に挿入されたボルトＢ１により便器本体１０の上面部１３に取り付けられている。この際、内側スリット６１Ａ及び外側スリット６１Ｂにより、便器本体１０の上面部１３の凹凸が吸収されるため、固定部材６０を便器本体１０の上面部１３に密着して取り付けることができる。このように、蓋部材５０は、便器本体１０の開口部４０Ａに容易かつ確実に気密状態で取り付けることができる。ボルトＢ１は、内部に組み込まれたボルトを回転することにより、胴部が膨張し、第１取付孔１８内に圧着し、固定されている。
【００３９】
固定部材６０の後部は、便器本体１０の上面部１３の左右幅より僅かに大きく左右方向に延びている。この左右方向に延びた部分の上面端部には、固定部材６０が便器本体１０の上面部１３に固定された際に、便器本体１０の上面部１３に貫設された一対の第２取付孔１９に対向する位置に第２貫通孔６２が設けられている。このため、固定部材６０は、この第２貫通孔６２を上方から挿通し、便器本体１０の第２取付孔１９の挿入されたボルトＢ２によっても便器本体１０の上面部１３に固定されている。このように、固定部材６０は便器本体１０の上面部１３に強固に固定されている。
【００４０】
固定部材６０の前端部の左右には、ビス孔が貫設された一対の立上片６３が立設されている。また、固定部材６０の後部の左右端部には、ビス孔が外側部に貫設された一対の溝状の屈曲片６４が形成されている。立上片６３及び屈曲片６４に貫設された螺子孔を挿通する螺子により、洗浄タンク２１を有する便器洗浄装置２０及び吸引装置３０が載置された取付プレートは便器本体１０の後端部に取り付けられている。
【００４１】
吸引装置３０は、図８及び図９に示すように、吸引装置本体３２と、吸引装置本体３２内を上下方向に往復運動するピストン３３とを有している。吸引装置本体３２は、上端が閉鎖された第１筒部材３２Ａと、第１筒部材３２Ａの下端周面部に上端周面部が連結され、下端が閉鎖された第２筒部材３２Ｂとから形成されている。第２筒部材３２Ｂの下端側面には、吸引路３１が連通する開口が形成されている。ピストン３３は、下端が開放され、上端が閉鎖された円筒部材により形成されている。ピストン３３の上面部には上面部より僅かに大きい円盤状の押え板３３Ａが取り付けられている。ピストン３３の上面部と押え板３３Ａとの間には転動形ダイアフラム３４の中央部が挟持されている。転動形ダイアフラム３４の外周縁部は、吸引装置本体３２の第１筒部材３２Ａの下端周面部と第２筒部材３２Ｂの上端周面部との間に挟持されている。これにより、吸引装置本体３２の内部にはピストン３３の上下方向の往復運動により容積が変動する吸引室３５が形成されている。吸引装置本体３２の上部には、ピストン３３を上下方向に往復運動させる駆動部が内蔵された駆動装置３６が取り付けられている。
【００４２】
このように構成された水洗式便器の便器洗浄について説明する。
【００４３】
便器洗浄を開始する前は、図８に示すように、吸引装置３０のピストン３３は下降位置に配置されている。便器洗浄が開始されると、便器洗浄装置２０の洗浄タンク２１のフロート弁２３が上昇し、流出口２２が開放される。これにより、便器本体１０の便鉢部１１に形成された前吐出口１７Ｆ及び後吐出口１７Ｂからリム通水路１１Ｂ上に洗浄水が吐出される。洗浄水は、リム通水路１１Ｂ上を一方向に旋回しながら便鉢部１１の表面を流れ落ち、便鉢部１１内に貯留される。これにより、便鉢部１１内の洗浄水の水位が上昇する。
【００４４】
その後、図９に示すように、吸引装置３０の駆動装置３６が駆動され、ピストン３３が上昇位置まで上昇するため、吸引室３５の容積が拡大し、吸引路３１、空洞部４０及び拡張空洞部４２を介して便器排水路１２の空気が吸引される。これにより、便鉢部１１に貯留された洗浄水が便器排水路１２に引き込まれ、便器排水路１２内の洗浄水が増加し、サイホン作用が誘起される。このため、この水洗式便器では、サイホン作用を確実に誘起させることができ、便器洗浄を良好に行なうことができる。
【００４５】
また、吸引装置３０がピストン３３を上昇させて吸引する空気の吸引量よりも、空洞部４０の容積を大きく形成されており、さらに、拡張空洞部４２も形成されているため、吸引装置３０の吸引室３５内及び吸引路３１内に便器排水路１２内の汚物等が吸引され難い。このため、便器排水路１２内の空気を確実に吸引することができ、サイホン作用を確実に誘起し、便器洗浄を良好に行なうことができる。
【００４６】
本発明は、上記記載及び図面によって説明した実施例に限定されるものではなく、例えば次のような実施例も本発明の技術的範囲に含まれる。
（１）実施例では、洗浄タンクを有する便器洗浄装置であったが、洗浄タンクを有さず、洗浄水供給源に接続された配管Ｓが接続され、直接便鉢部へ洗浄水を供給する弁装置からなる便器洗浄装置であってもよい。
（２）実施例では、分配管を用いて給水路を形成していたが、分配管を用いず、便器本体に一体的に給水路を形成してもよい。
（３）実施例では、便座及び便蓋を回動自在に軸支したカバーを固定部材を利用して便器本体の上面部に取り付けたが、カバーのみを便器本体の後端部に取り付け、便座及び便蓋を有する市販の便座装置を第１取付孔に取り付けてもよい。この場合、固定部材は便座装置と共に第１取付孔に取り付けられる。
（４）実施例では、空洞部の上端に形成された開口部を蓋部材により閉鎖したが、空洞部の上端を便器本体の上面部により閉鎖してもよい。
（５）実施例では、吸引装置が便器本体の後端部の上方に配置されているが、便器本体の後端部の下方等の空いた空間に配置してもよい。
（６）実施例では、蓋部材の上端を閉鎖し、蓋部材の胴部に吸引口を形成したが、蓋部材の上面部に吸引口を形成してもよい。
（７）実施例では、拡張空洞部を設けたが、拡張空洞部を設けなくてもよい。この場合、便器排水路の上方に形成された空洞部の容積を吸引装置が吸引する吸引量よりも大きくするとよい。
（８）実施例では、便器排水路から空気を吸引する機能のみを有する吸引装置を採用したが、容器内をダイアフラムにより区画し、一方を吸引室とし、他方を洗浄水の蓄圧室とする吸引・蓄圧装置を採用してもよい。
【符号の説明】
【００４７】
１０…便器本体
１１…便鉢部
１２…便器排水路
１３…上面部
１８…第１取付孔（取付孔）
２０…便器洗浄装置
３０…吸引装置
３１…吸引路
４０…空洞部
４０Ａ…開口部
４１…（空洞部を形成する）側壁
４２…拡張空洞部
５０…蓋部材
５２Ａ…吸引口
６０…固定部材
【図１】
2011006942.tif 000003
【図２】
2011006942.tif 000004
【図３】
2011006942.tif 000005
【図４】
2011006942.tif 000006
【図５】
2011006942.tif 000007
【図６】
2011006942.tif 000008
【図７】
2011006942.tif 000009
【図８】
2011006942.tif 000010
【図９】
2011006942.tif 000011